(57)【要約】  本発明はポンピング式化粧品容器に関するもので、本発明によるポンピング式化粧品容器は、ポンピング部材の上部に内容物の圧力によって開閉される弾性吐出部を形成し、弾性吐出部にシーリングシャフトを結合することによって、別途のチェックバルブを用いなくてもシーリング処理が可能になるので、蛇腹管の内部への空気の流入を遮断することができることが特徴である。  【選択図】なし
2014522289.tif 000002
【特許請求の範囲】
【請求項１】
内容物が収容される容器本体（１００）と；
前記容器本体（１００）の上部に結合され、
中央部には内容物排出孔（２１１）が形成され、前記内容物排出孔（２１１）を囲んで固定溝（２２０）が形成される支持体（２００）と；
前記内容物排出孔（２１１）に設置されて、前記内容物排出孔（２１１）を開閉するバルブ部材（３００）と；
前記支持体（２００）に結合されて、ポンピング作用を通じて、内容物を排出する弾性材質で構成され、
前記固定溝（２２０）に結合される結合部（４１０）と、前記結合部（４１０）から延長されて収縮及び弛緩される蛇腹管（４２０）と、前記蛇腹管（４２０）の末端に形成されるボタン支持部（４３０）と、前記ボタン支持部（４３０）の内側へ延長されて、内容物の圧力によって開かれて内容物を排出する弾性吐出部（４４０）とで構成されるポンピング部材（４００）と；
前記ポンピング部材（４００）の上部に結合されて、前記弾性吐出部（４４０）を閉鎖するシーリングシャフト（５００）と；
前記ポンピング部材（４００）を囲んで結合され、ポンピング部材（４００）のポンピング作用によって内容物が吐出されるように内容物吐出孔（６１０）が形成されるボタン部材（６００）と；を含むことを特徴とするポンピング式化粧品容器。
【請求項２】
内容物が収容される容器本体（１００’）と；
前記容器本体（１００’）の上部に結合され、
中央部には内容物排出孔（２１１’）が形成され、前記内容物排出孔（２１１’）を囲む突出部（２２０’）が上方向に突出して形成される支持体（２００’）と；
前記内容物排出孔（２１１’）に設置されて、内容物排出孔（２１１’）を開閉するバルブ部材（３１０’）が具備され、前記バルブ部材（３１０’）を囲む固定溝（３２０’）が形成されるポンプ結合体（３００’）と；
前記ポンプ結合体（３００’）に結合されて、ポンピング作用を通じて内容物を排出する弾性材質で構成され、
前記固定溝（３２０’）に結合される結合部（４１０’）と、前記結合部（４１０’）から延長されて収縮及び弛緩される蛇腹管（４２０’）と、前記蛇腹管（４２０’）の末端に形成されるボタン支持部（４３０’）と、前記ボタン支持部（４３０’）の内側へ延長されて、内容物の圧力によって開かれて内容物を排出する弾性吐出部（４４０’）とで構成されるポンピング部材（４００’）と；
前記ポンピング部材（４００’）の上部に結合されて、前記弾性吐出部（４４０’）を閉鎖するシーリングシャフト（５００’）と；
前記ポンピング部材（４００’）を囲んで結合されて、ポンピング部材（４００’）のポンピング作用によって内容物が吐出されるように内容物吐出孔（６１０’）が形成されるボタン部材（６００’）と；を含むことを特徴とするポンピング式化粧品容器。
【請求項３】
前記バルブ部材（３００）は半球状に形成され、前記内容物排出孔（２１１）の上端に安着される安着部（３１０）と、前記安着部（３１０）の中央を貫通して前記内容物排出孔（２１１）に挿入される挿入棒（３２０）とで構成され、前記ポンピング部材（４００）のポンピング作用によって昇降されて前記内容物排出孔（２１１）を開閉することを特徴とする請求項１に記載のポンピング式化粧品容器。
【請求項４】
前記シーリングシャフト（５００）（５００’）は前記ポンピング部材（４００）（４００’）の上部を囲んで結合され、内容物流出孔（５１１）（５１１’）が形成される本体（５１０）（５１０’）と、前記本体（５１０）（５１０’）の内側上端中央部で下方へ突出されて、前記弾性吐出部（４４０）（４４０’）に結合される閉鎖棒（５２０）（５２０’）とで構成されることを特徴とする請求項１または２に記載のポンピング式化粧品容器。
【請求項５】
前記ポンプ結合体（３００’）、ポンピング部材（４００’）及びシーリングシャフト（５００’）はモジュール化されて一体に組み立てられることを特徴とする請求項２に記載のポンピング式化粧品容器。
【請求項６】
前記突出部（２２０’）の内側上端には固定突起（２２１’）が形成され、前記結合部（４１０’）の外周面には前記固定突起（２２１’）によって支持される支持突起（４１１’）が形成されることを特徴とする請求項２に記載のポンピング式化粧品容器。
【請求項７】
内容物が収容される容器本体（１００”）と；
前記容器本体（１００”）の上部に結合され、中央部に内容物排出孔（２１１”）が形成される支持体（２００”）と；
前記支持体（２００”）に安着されてポンピング部材（４００”）を支持し、
前記内容物排出孔（２１１”）を開閉する第１バルブ部材（３１０”）が具備される第１ポンプ結合体（３００”）と；
前記第１ポンプ結合体（３００”）に結合されて、ポンピング作用を通じて内容物を排出し、蛇腹タイプの弾性材質で構成されるポンピング部材（４００”）と；
前記ポンピング部材（４００”）の上部に結合され、
中央部に内容物流出孔（５１２”）が形成され、前記内容物流出孔（５１２”）に内容物の排出有無によって開閉される第２バルブ部材（５２０”）が設置される第２ポンプ結合体（５００”）と；
前記ポンピング部材（４００”）の上部を囲んで結合され、ポンピング部材（４００”）のポンピング作用によって内容物が吐出されるように、前記内容物流出孔（５１２”）と連通される内容物吐出孔（６１０”）が形成されるボタン部材（６００”）と；を含むことを特徴とするポンピング式化粧品容器。
【請求項８】
前記第１ポンプ結合体（３００”）には前記ポンピング部材（４００”）を支持するように前記第１バルブ部材（３１０”）を囲む第１固定溝（３２０”）が形成されることを特徴とする請求項７に記載のポンピング式化粧品容器。
【請求項９】
前記ポンピング部材（４００”）は、前記第１固定溝（３２０”）に結合される第１結合部（４１０”）と、前記第１結合部（４１０”）から延長されて収縮及び弛緩される蛇腹管（４２０”）と、前記蛇腹管（４２０”）の末端に結合され、中央部に内容物移動孔（４３１”）が形成され、前記内容物移動孔（４３１”）を囲んで上部に延長して形成される第２結合部（４３０”）とで構成されることを特徴とする請求項８に記載のポンピング式化粧品容器。
【請求項１０】
前記支持体（２００”）の内側中央部には前記第１ポンプ結合体（３００”）及び第１結合部（４１０”）が結合されるように、前記内容物排出孔（２１１”）を囲む突出部（２２０”）が上方向に突出して形成されることを特徴とする請求項９に記載のポンピング式化粧品容器。
【請求項１１】
前記第１ポンプ結合体（３００”）、ポンピング部材（４００”）及び第２ポンプ結合体（５００”）はモジュール化されて一体に組み立てられることを特徴とする請求項７に記載のポンピング式化粧品容器。
【発明の詳細な説明】
【技術分野】
【０００１】
本発明はポンピング式化粧品容器に関し、より詳しくは、ポンピング部材の上部に内容物の圧力によって開閉される弾性吐出部を形成し、弾性吐出部にシーリングシャフトを結合することによって、別途のチェックバルブを用いなくてもシーリング処理が可能になるので、蛇腹管の内部に空気が流入されることを遮断することができるポンピング式化粧品容器に関する。
【背景技術】
【０００２】
一般に、ポンピング部材を通じて内容物を排出するように構成されたポンピング式化粧品容器は内容物が収容される容器本体と、上記容器本体の上部に結合されて、ポンピング作用をするポンピング部材と、上記ポンピング部材の上部に位置して、使用者の加圧を通じてポンピング作動を可能にし、内容物が排出される排出孔が具備されるボタン部材とで構成される。
【０００３】
上記のようなポンピング式化粧品容器は、使用者がボタン部材を加圧する時に、その下部に位置するポンピング部材が作動して、容器本体に収容された内容物を排出孔を通じて外部に排出するように構成される。それによって、ポンピング部材の構造が複雑で、製造費用及び時間がたくさん必要となる問題点があった。
【０００４】
また、ポンピング部材が金属材質のスプリングを通じてポンピング作用が行われるため、スプリングの腐食によって内容物が変質されるという問題点があった。
【０００５】
このような問題点を解決するために、韓国登録特許第１０−０５４５００７号「化粧品容器のポンピング装置」が開示された。
【０００６】
上記韓国登録特許は、容器内部の流体の一部を吐出するためのポンピング装置において、ヘッドハウジング２０の上部に収容されて密閉することによって、ヘッド収容リブ２２の内面に沿って上昇／下降しながら、内部の流体を減圧／加圧するもので、下端が開放されて構成され、外面の一側には内部の流体を外部に吐出するノズル１１が構成され、内部中央には流体をノズルに伝達する流出管１２が下向きに構成されるポンピングヘッド１０；容器の上部を覆って密閉すると同時に、ポンピングヘッド１０の開放された下端を密閉して収容するもので、中央に下端バルブ６０が装着される下端バルブ孔２１が通孔されて構成され、上面の外周面には昇降するポンピングヘッド１０の下端を密閉して案内するヘッド収容リブ２２が直立上向きに構成され、上面の中央部には蛇腹管３０の下端部を密閉して結合される蛇腹管収容リブ２３が下端バルブ孔２１の外側に上向きに突出されて構成され、下面の外周面には容器７０の上部に締結されて密閉するための締結手段２４が構成されるヘッドハウジング２０；ポンピングヘッド１０の下降作動時に収縮され、下降圧力が解除されると弾性力によってポンピングヘッド１０を上昇させるもので、上端部がポンピングヘッド１０の流出管１２の下端を密閉して結合され、下端部がヘッドハウジング３０の下端バルブ孔２１を含むヘッドハウジングを密閉して結合されるように構成される弾性材質の蛇腹管３０；ポンピングヘッド１０の流出管１２の下部末端を密閉して結合されるもので、中央に上端バルブ５０が装着される上端バルブ孔４１が通孔されて構成される上端バルブハウジング４０；上端バルブハウジング４０の上端バルブ孔４１を開閉するためのもので、蛇腹管３０の内部圧力がポンピングヘッド１０の流出管１２の内部圧力に比べて高圧である時開かれ、流出管１２の内部圧力が蛇腹管３０の内部圧力に比べて高圧である時閉まるように構成される上端バルブ５０；及び下端バルブハウジング２０の下端バルブ孔２１を開閉するためのもので、容器７０の内部圧力が蛇腹管３０の内部圧力に比べて高圧である時開かれ、蛇腹管３０の内部圧力が容器７０の内部圧力に比べて高圧である時閉まるように構成される下端バルブ６０で構成されることを特徴とする。
【０００７】
上記のような韓国登録特許は、従来の金属材質のスプリングを代替してゴム材質で構成された蛇腹管３０を利用してポンピング作用が行われるもので、金属材質のスプリングを用いないことによって、スプリングの腐食による内容物の変質を防止することが可能である。
【０００８】
しかし、上記韓国登録特許は、内容物を排出する上端バルブ孔４１が形成された上端バルブハウジング４０がポンピングヘッド１０に結合され、上記上端バルブ孔４１を開閉する上端バルブ５０が具備されなければならないなど、蛇腹管３０、上端バルブハウジング４０、上端バルブ５０でポンピング構造が構成されるもので、これらをそれぞれ組立てなければならないため、組立工程が煩雑で、部品数の増加による製造費用が増加されるという問題点があった。
【０００９】
また、蛇腹管３０の内側のシーリングのために、上端バルブ５０に下方圧力を加える錘５３を形成するなど上端バルブ５０の構造が複雑であり、バルブ本体５１が上端バルブハウジング４０の上端接触面と当接するように構成されるため、バルブ本体５１の末端部に変形が発生して、上端バルブハウジング４０の上端面とバルブ本体５１の下端との間に空間が発生されて、蛇腹管３０の内部に空気が流入されることによって、内容物が変質されるという問題点があった。
【００１０】
また、下端バルブ６０の構造によって、チェックバルブの隙間に粒子の内容物が固着される現象による下端バルブ６０の誤作動が発生するという問題点があった。
【発明の概要】
【発明が解決しようとする課題】
【００１１】
本発明は上述した問題点を解決するために案出されたもので、本発明の目的は、ポンピング部材の上部に内容物の圧力によって開閉される弾性吐出部を形成し、弾性吐出部にシーリングシャフトを結合することによって、簡単な構造を通じてポンピングが可能であり、別途のチェックバルブを用いなくても蛇腹管の内部のシーリング処理が可能になるので、蛇腹管の内部に空気が流入されて内容物が変質されることを遮断することができるポンピング式化粧品容器を提供することにある。
【００１２】
また、支持体に形成された排出孔を開閉するバルブ部材の構造を変更して、バルブ部材全体が上下に移動しながら開閉するようにすることによって、従来のチェックバルブの隙間に粒子の内容物が固着される現象による誤作動を防止することができるポンピング式化粧品容器を提供することにある。
【課題を解決するための手段】
【００１３】
上記のような問題点を解決するために、本発明の第１、２実施例によるポンピング式化粧品容器は、内容物が収容される容器本体１００と；上記容器本体１００の上部に結合され、中央部には内容物排出孔２１１が形成され、上記内容物排出孔２１１を囲んで固定溝２２０が形成される支持体２００と；上記内容物排出孔２１１に結合されて、内容物排出孔２１１を開閉するバルブ部材３００と；上記支持体２００に結合されて、ポンピング作用を通じて内容物を排出する弾性材質で構成され、上記固定溝２２０に結合される結合部４１０と、上記結合部４１０から延長されて収縮及び弛緩される蛇腹管４２０と、上記蛇腹管４２０の末端に形成されるボタン支持部４３０と、上記ボタン支持部４３０の内側へ延長されて、内容物の圧力によって開かれて内容物を排出する弾性吐出部４４０とで構成されるポンピング部材４００と；上記ポンピング部材４００の上部に結合されて、上記弾性吐出部４４０を閉鎖するシーリングシャフト５００と；上記ポンピング部材４００を囲んで結合され、ポンピング部材４００のポンピング作用によって内容物が吐出されるように内容物吐出孔６１０が形成されるボタン部材６００と；を含むことを特徴とする。
【００１４】
また、内容物が収容される容器本体１００’と；上記容器本体１００’の上部に結合され、中央部には内容物排出孔２１１’が形成され、上記内容物排出孔２１１’を囲む突出部２２０’が上方向に突出して形成される支持体２００’と；上記内容物排出孔２１１’に設置されて、内容物排出孔２１１’を開閉するバルブ部材３１０’が具備され、上記バルブ部材３１０’を囲む固定溝３２０’が形成されるポンプ結合体３００’と；上記ポンプ結合体３００’に結合されて、ポンピング作用を通じて内容物を排出する弾性材質で構成され、上記固定溝３２０’に結合される結合部４１０’と、上記結合部４１０’から延長されて収縮及び弛緩される蛇腹管４２０’と、上記蛇腹管４２０’の末端に形成されるボタン支持部４３０’と、上記ボタン支持部４３０’の内側へ延長されて内容物の圧力によって開かれて内容物を排出する弾性吐出部４４０’とで構成されるポンピング部材４００’と；上記ポンピング部材４００’の上部に結合されて、上記弾性吐出部４４０’を閉鎖するシーリングシャフト５００’と；上記ポンピング部材４００’を囲んで結合され、ポンピング部材４００’のポンピング作用によって、内容物が吐出されるように内容物吐出孔６１０’が形成されるボタン部材６００’と；を含むことを特徴とする。
【００１５】
また、上記バルブ部材３００は半球状に形成され、上記内容物排出孔２１１の上端に安着される安着部３１０と、上記安着部３１０の中央を貫通して上記内容物排出孔２１１に挿入される挿入棒３２０とで構成され、上記ポンピング部材４００のポンピング作用によって昇降されて、上記内容物排出孔２１１を開閉することを特徴とする。
【００１６】
また、上記シーリングシャフト５００、５００’は上記ポンピング部材４００、４００’の上部を囲んで結合され、内容物流出孔５１１、５１１’が形成される本体５１０、５１０’と、上記本体５１０、５１０’の内側上端中央部で下方に突出されて、上記弾性吐出部４４０、４４０’に結合される閉鎖棒５２０、５２０’とで構成されることを特徴とする。
【００１７】
また、上記ポンプ結合体３００’、ポンピング部材４００’及びシーリングシャフト５００’はモジュール化されて一体に組み立てられることを特徴とする。
【００１８】
また、上記突出部２２０’の内側上端には固定突起２２１’が形成され、上記結合部４１０’の外周面には上記固定突起２２１’によって支持される支持突起４１１’が形成されることを特徴とする。
【００１９】
一方、本発明の第３実施例によるポンピング式化粧品容器は、内容物が収容される容器本体１００”と；上記容器本体１００”の上部に結合され、中央部に内容物排出孔２１１”が形成される支持体２００”と；上記支持体２００”に安着されてポンピング部材４００”を支持し、上記内容物排出孔２１１”を開閉する第１バルブ部材３１０”が具備される第１ポンプ結合体３００”と；上記第１ポンプ結合体３００”に結合されて、ポンピング作用を通じて、内容物を排出し、蛇腹タイプの弾性材質で構成されるポンピング部材４００”と；上記ポンピング部材４００”の上部に結合され、中央部に内容物流出孔５１２”が形成され、上記内容物流出孔５１２”に内容物の排出有無によって開閉される第２バルブ部材５２０”が設置される第２ポンプ結合体５００”と；上記ポンピング部材４００”の上部を囲んで結合され、ポンピング部材４００”のポンピング作用によって内容物が吐出されるように上記内容物流出孔５１２”と連通される内容物吐出孔６１０”が形成されるボタン部材６００”と；を含むことを特徴とする。
【００２０】
また、上記第１ポンプ結合体３００”には上記ポンピング部材４００”を支持するように、上記第１バルブ部材３１０”を囲む第１固定溝３２０”が形成されることを特徴とする。
【００２１】
また、上記ポンピング部材４００”は、上記第１固定溝３２０”に結合される第１結合部４１０”と、上記第１結合部４１０”から延長されて収縮及び弛緩される蛇腹管４２０”と、上記蛇腹管４２０”の末端に結合され、中央部に内容物移動孔４３１”が形成され、上記内容物移動孔４３１”を囲んで上部に延長して形成される第２結合部４３０”とで構成されることを特徴とする。
【００２２】
また、上記支持体２００”の内側中央部には上記第１ポンプ結合体３００”及び第１結合部４１０”が結合されるように、上記内容物排出孔２１１”を囲む突出部２２０”が上方向に突出して形成されることを特徴とする。
【００２３】
また、上記第１ポンプ結合体３００”、ポンピング部材４００”及び第２ポンプ結合体５００”はモジュール化されて一体に組み立てられることを特徴とする。
【発明の効果】
【００２４】
以上、上述したように、本発明によれば、ポンピング部材の上部に内容物の圧力によって開閉される弾性吐出部を形成し、弾性吐出部にシーリングシャフトを結合することによって、別途のチェックバルブを用いなくてもシーリング処理が可能になるので、蛇腹管の内部への空気の流入を遮断することができるという長所がある。
【００２５】
また、支持体に形成された排出孔を開閉するバルブ部材の構造を変更して、バルブ部材全体が上下に移動しながら開閉するようにすることによって、従来のチェックバルブの隙間に粒子の内容物が固着される現象による誤作動を防止することができるという長所がある。
【図面の簡単な説明】
【００２６】
【図１】本発明の第１実施例によるポンピング式化粧品容器の構成を示す分解断面図である。
【図２】本発明の第１実施例によるポンピング式化粧品容器の構成を示す結合断面図である。
【図３】本発明の第１実施例によるポンピング式化粧品容器の内容物排出過程を示す説明図である。
【図４】本発明の第１実施例によるポンピング式化粧品容器の内容物排出過程を示す説明図である。
【図５】本発明の第２実施例によるポンピング式化粧品容器の構成を示す分解断面図である。
【図６】本発明の第２実施例によるポンピング式化粧品容器の構成を示す結合断面図である。
【図７】本発明の第２実施例によるポンピング式化粧品容器の内容物排出過程を示す説明図である。
【図８】本発明の第２実施例によるポンピング式化粧品容器の内容物排出過程を示す説明図である。
【図９】本発明の第３実施例によるポンピング式化粧品容器の構成を示す分解断面図である。
【図１０】本発明の第３実施例によるポンピング式化粧品容器の構成を示す結合断面図である。
【図１１】本発明の第３実施例によるポンピング式化粧品容器の内容物排出過程を示す説明図である。
【図１２】本発明の第３実施例によるポンピング式化粧品容器の内容物排出過程を示す説明図である。
【発明を実施するための形態】
【００２７】
以下、図面を参照して本発明を詳しく説明する。各図面に提示された同じ符号は同じ部材を示す。
【００２８】
図１は本発明の第１実施例によるポンピング式化粧品容器の構成を示す分解断面図で、図２は本発明の第１実施例によるポンピング式化粧品容器の構成を示す結合断面図であり、図３及び４は本発明の第１実施例によるポンピング式化粧品容器の内容物排出過程を示す説明図である。
【００２９】
図１〜４によれば、本発明の第１実施例によるポンピング式化粧品容器は、容器本体１００、支持体２００、バルブ部材３００、ポンピング部材４００、シーリングシャフト５００、ボタン部材６００を含む。
【００３０】
上記容器本体１００は内容物が収容されるもので、内側下端には内容物の使用によって上昇するピストン１１０が具備され、上部には容器本体１００の開放された上部を閉鎖する支持体２００が結合される。
【００３１】
上記支持体２００は上記容器本体１００の上部に結合されて、後述するポンピング部材４００を支持するもので、中央部には上記容器本体１００に収容された内容物が流入されるように通路を形成する内容物流入管２１０が形成され、上記内容物流入管２１０には上記容器本体１００に収容された内容物の排出が可能になるように内容物排出孔２１１が形成される。
【００３２】
本発明において、上記支持体２００には上記内容物排出孔２１１を囲んでポンピング部材４００の結合部４１０を固定させる固定溝２２０が形成されることが特徴であり、上記固定溝２２０は、結合部４１０の下端を支持して、ボタン部材６００の加圧時に、ポンピング部材４００のポンピング作用を可能にする。
【００３３】
一方、上記支持体２００にはボタン部材６００の誤作動を防止するように、ボタン部材６００を囲んでオーバーキャップ７００が結合されることが好ましい。
【００３４】
上記バルブ部材３００は、上記内容物排出孔２１１に設置されて、内容物排出孔２１１を開閉するもので、本発明において、上記バルブ部材３００は半球状に形成され、上記内容物排出孔２１１の上端に安着される安着部３１０と、上記安着部３１０の中央を貫通して上記内容物排出孔２１１に挿入される挿入棒３２０とで構成されることが特徴である。
【００３５】
上記バルブ部材３００は内容物排出孔２１１の上端に安着される半球状の安着部３１０と内容物排出孔２１１に挿入される挿入棒３２０とで構成されて、ポンピング部材４００のポンピング作用によって、バルブ部材３００の全体が昇降して、内容物排出孔２１１を開閉する。半球状の安着部３１０が形成する下端曲面が内容物排出孔２１１を開閉することによって、内容物排出孔２１１を円滑にシーリングすることができ、これによって、従来のチェックバルブの隙間（通孔）に粒子の内容物が固着される現象によるバルブの誤作動を防止することが可能になる。
【００３６】
一方、上記挿入棒３２０は、上記バルブ部材３００の昇降時に、バルブ部材３００が内容物排出孔２１１の上部へ脱離されることを防止するように、その下部の周囲が上記内容物排出孔２１１より大きく形成されることが好ましい。
【００３７】
上記ポンピング部材４００は、上記支持体２００に結合されて、ポンピング作用を通じて内容物を排出するもので、本発明において、上記ポンピング部材４００は弾性力のあるゴム材質で構成されることが特徴である。
【００３８】
上記ポンピング部材４００は、上記固定溝２２０に結合される結合部４１０と、上記結合部４１０から延長されて、ボタン部材６００の加圧によって収縮及び弛緩される蛇腹管４２０と、上記蛇腹管４２０の末端に形成されて、ボタン部材６００の下端を支持するボタン支持部４３０とで構成される。
【００３９】
本発明において、上記ポンピング部材４００には上記ボタン支持部４３０の内側へ延長されて、内容物の圧力によって開かれて内容物を排出する弾性吐出部４４０が具備されることが特徴であり、上記弾性吐出部４４０は、内容物の排出時には、内容物の圧力によって開かれ、内容物の排出が完了されると、シーリングシャフト５００の外周面をシーリング処理して蛇腹管４２０の内部に空気が流入されたり、内容物が逆流することを遮断する。これによって、別途のチェックバルブを用いなくても蛇腹管４２０の内部のシーリング処理が可能になる。
【００４０】
上記シーリングシャフト５００は、上記ポンピング部材４００の上部に結合されて、上記弾性吐出部４４０を閉鎖するもので、上記ポンピング部材４００の上部を囲んで結合され、内容物流出孔５１１が形成される本体５１０と、上記本体５１０の内側上端中央部で下方に突出されて、上記弾性吐出部４４０に結合される閉鎖棒５２０とで構成される。
【００４１】
上記シーリングシャフト５００は、弾性吐出部４４０に結合される閉鎖棒５２０を通じて蛇腹管４２０の内部をシーリング処理することができ、内容物の圧力によって弾性吐出部４４０が開放される場合には、本体５１０に形成された内容物流出孔５１１を通じて内容物の流出が可能になるように構成される。
【００４２】
上記ボタン部材６００は、上記ポンピング部材４００を囲んで結合され、ポンピング部材４００のポンピング作用によって内容物の吐出を可能にするもので、上記内容物流出孔５１１と連通されて、外部に内容物を吐出する内容物吐出孔６１０が形成される。
【００４３】
以下では、図３及び４を参照して本発明の第１実施例によるポンピング式化粧品容器の内容物排出過程を説明する。
【００４４】
図３及び４によれば、本発明の第１実施例によるポンピング式化粧品容器の内容物排出過程は、ボタン部材６００を加圧すると、ボタン部材６００の下部に位置するボタン支持部４３０が下降し、これによって、蛇腹管４２０が収縮してポンピング部材４００のポンピング作用が行われる。この時、蛇腹管４２０の内部の圧力によって、バルブ部材３００の安着部３１０が内容物排出孔２１１を遮断し、蛇腹管４２０の内部に残留する内容物の圧力によって弾性吐出部４４０が開かれながら開放されて、内容物が内容物流出孔５１１を通じて内容物吐出孔６１０に移動して排出されるようになる。
【００４５】
一方、ボタン部材６００の加圧が解除されると、弾性吐出部４４０が復元されて閉鎖棒５２０をシーリング処理し、バルブ部材３００が上方向に移動して蛇腹管４２０の内部に一定量の内容物が流入されるように構成される。
【００４６】
以下では、図５〜８を参照して本発明の第２実施例によるポンピング式化粧品容器を説明する。
【００４７】
図５は本発明の第２実施例によるポンピング式化粧品容器の構成を示す分解断面図で、図６は本発明の第２実施例によるポンピング式化粧品容器の構成を示す結合断面図であり、図７及び８は本発明の第２実施例によるポンピング式化粧品容器の内容物排出過程を示す説明図である。
【００４８】
図５〜８によれば、本発明の第２実施例によるポンピング式化粧品容器は、容器本体１００’、支持体２００’、ポンプ結合体３００’、ポンピング部材４００’、シーリングシャフト５００’、ボタン部材６００’を含む。
【００４９】
上記容器本体１００’は内容物が収容されるもので、内側下端には内容物の使用によって上昇するピストン１１０’が具備され、上部には容器本体１００’の開放された上部を閉鎖する支持体２００’が結合される。
【００５０】
上記支持体２００’は上記容器本体１００’の上部に結合されて、後述するポンプ結合体３００’及びポンピング部材４００’を支持するもので、中央部には容器本体１００’に収容された内容物が流入されるように通路を形成する内容物流入管２１０’が形成され、上記内容物流入管２１０’には上記容器本体１００’に収容された内容物を排出可能に内容物排出孔２１１’が形成される。
【００５１】
本発明において、上記支持体２００’には上記内容物排出孔２１１’を囲んで上方向に突出して形成される突出部２２０’が形成されることが特徴であり、上記突出部２２０’の内側下部にはポンプ結合体３００’が結合され、内側上部には固定突起２２１’が形成され、上記固定突起２２１’が結合部４１０’に形成される支持突起４１１’を支持することによって、ポンピング部材４００’を固定させる。
【００５２】
上記ポンプ結合体３００’はポンピング部材４００’の下部に結合されて、ポンピング部材４００’を支持するもので、その中央部には上記内容物排出孔２１１’に設置されて内容物排出孔２１１’を開閉するバルブ部材３１０’が具備される。
【００５３】
本発明において、上記ポンプ結合体３００’には上記バルブ部材３１０’を囲んでポンピング部材４００’の結合部４１０’を固定させる固定溝３２０’が形成されることが特徴であり、上記固定溝３２０’は結合部４１０’の下端を支持して、ボタン部材６００’の加圧時に、ポンピング部材４００’のポンピング作用を可能にする。
【００５４】
上記ポンピング部材４００’は、上記ポンプ結合体３００’に結合されて、ポンピング作用を通じて内容物を排出するもので、本発明において、上記ポンピング部材４００’は弾性力のあるゴム材質で構成されることが特徴である。上記ポンピング部材４００’は、結合部４１０’の外周面に上記固定突起２２１’によって支持される支持突起４１１’が形成される。これによって、ポンピング部材４００’が上方向に脱離されることを防止する。
【００５５】
その他のポンピング部材４００’を構成する蛇腹管４２０’、ボタン支持部４３０’、弾性吐出部４４０’及びシーリングシャフト５００’、ボタン部材６００’、オーバーキャップ７００’は本発明の第１実施例で説明した通りであるので、詳細な説明は省略する。
【００５６】
一方、本発明の第２実施例によるポンピング式化粧品容器は、ポンプ結合体３００’、ポンピング部材４００’及びシーリングシャフト５００’がモジュール化されて一体に組み立てられることが特徴である。これによって、多様な化粧品容器に簡単に設置することができるので、容器の製造時間を顕著に短縮させることができる。
【００５７】
以下では、図９〜１２を参照して本発明の第３実施例によるポンピング式化粧品容器を説明する。
【００５８】
図９は本発明の第３実施例によるポンピング式化粧品容器の構成を示す分解断面図で、図１０は本発明の第３実施例によるポンピング式化粧品容器の構成を示す結合断面図であり、図１１及び１２は本発明の第３実施例によるポンピング式化粧品容器の内容物排出過程を示す説明図である。
【００５９】
図９〜１２によれば、本発明の第３実施例によるポンピング式化粧品容器は、容器本体１００”、支持体２００”、第１ポンプ結合体３００”、ポンピング部材４００”、第２ポンプ結合体５００”、ボタン部材６００”を含む。
【００６０】
上記容器本体１００”は内容物が収容されるもので、内側下端には内容物の使用によって上昇するピストン１１０”が具備され、上部には容器本体１００”の開放された上部を閉鎖する支持体２００”が結合される。
【００６１】
上記支持体２００”は、上記容器本体１００”の上部に結合されて、後述する第１ポンプ結合体３００”及びポンピング部材４００”を支持するもので、中央部には容器本体１００”に収容された内容物が流入されるように通路を形成する内容物流入管２１０”が形成され、上記内容物流入管２１０”には上記容器本体１００”に収容された内容物が排出できるように内容物排出孔２１１”が形成される。
【００６２】
本発明において、上記支持体２００”には上記内容物排出孔２１１”を囲んで上方向に突出して形成される突出部２２０”が形成されることが特徴であり、上記突出部２２０”の内側下部には第１ポンプ結合体３００”が結合され、内側上部には固定突起２２１”が形成され、上記固定突起２２１”が結合部４１０”に形成される支持突起４１１”を支持することによってポンピング部材４００”を固定させる。
【００６３】
一方、上記支持体２００”にはボタン部材６００”の誤作動を防止するように、ボタン部材６００”を囲んでオーバーキャップ７００”が結合されることが好ましい。
【００６４】
上記第１ポンプ結合体３００”はポンピング部材４００”の下部と結合されてポンピング部材４００”を支持するもので、その中央部には上記内容物排出孔２１１”に設置されて内容物排出孔２１１”を開閉する第１バルブ部材３１０”が具備される。
【００６５】
本発明において、上記第１ポンプ結合体３００”には上記第１バルブ部材３１０”を囲んでポンピング部材４００”の第１結合部４１０”を固定させる第１固定溝３２０”が形成されることが特徴であり、上記第１固定溝３２０”は第１結合部４１０”の下端を支持して、ボタン部材６００”の加圧時に、ポンピング部材４００”のポンピング作用を可能にする。
【００６６】
上記ポンピング部材４００”はボタン部材６００”の操作によるポンピング作用を通じて内容物を排出するもので、本発明において、上記ポンピング部材４００”は弾性力のあるゴム材質で構成されることが特徴である。
【００６７】
上記ポンピング部材４００”は、その下部に上記第１ポンプ結合体３００”の第１固定溝３２０”に結合される第１結合部４１０”が形成され、その上部には第２ポンプ結合体５００”の第２固定溝５１１”に結合される第２結合部４３０”が形成され、上記第１結合部４１０”と第２結合部４３０”の間には蛇腹管４２０”が具備されて、ボタン部材６００”の加圧否かによって蛇腹管４２０”が収縮及び弛緩されて、ポンピング作用が行われる。上記ポンピング部材４００”の第２結合部４３０”にはポンピング作用時、内容物が上部に移動することが可能になるように内容物移動孔４３１”が形成される。
【００６８】
一方、上記ポンピング部材４００”は第１結合部４１０”の外周面に上記固定突起２２１”によって支持される支持突起４１１”が形成される。これによって、ポンピング部材４００”が上方向に脱離されることを防止する。
【００６９】
上記第２ポンプ結合体５００”はポンピング部材４００”の上部を囲んで結合されて、ポンピング部材４００”に圧力を伝達するもので、ポンピング部材４００”の第２結合部４３０”と結合されることができるように第２固定溝５１１’が形成され、中央部に所定間隔離間された複数の内容物流出孔５１２”が形成される本体５１０”と、上記内容物流出孔５１２”に設置されて、内容物流出孔５１２”を開閉する第２バルブ部材５２０”とで構成される。
【００７０】
上記第２ポンプ結合体５００”はポンピング部材４００”の上部に結合されて、ボタン部材６００”の加圧による圧力をポンピング部材４００”に伝達することによって、ポンピング部材４００”のポンピング作用を可能にする。ポンピング部材４００”のポンピング作用時、内容物の圧力によって、第２バルブ部材５２０”の末端部が上方向に折られて内容物が排出される。
【００７１】
上記ボタン部材６００”は上記ポンピング部材４００”を囲んで結合されて、ポンピング部材４００”のポンピング作用によって、内容物の吐出ができるようにするもので、上記内容物流出孔５１２”と連通されて外部に内容物を吐出する内容物吐出孔６１０”が形成される。
【００７２】
一方、本発明の第３実施例によるポンピング式化粧品容器は、第１ポンプ結合体３００”、ポンピング部材４００”及び第２ポンプ結合体５００”がモジュール化されて一体に組み立てられることが特徴であり、これによって、多様な化粧品容器に簡単に設置することができるので、容器の製造時間を顕著に短縮させることができる。
【００７３】
図面及び明細書に最適な実施例が開示された。ここで特定用語を用いたが、これは本発明を説明するための目的で用いられたものであって、意味の限定や特許請求の範囲に記載された本発明の範囲を制限するためのものではない。従って、本発明が属する技術分野における通常の知識を有する者であれば、これから多様な変形及び均等な他の実施例が可能であることを理解すべきである。また、本発明の真の技術的保護範囲は特許請求の範囲の技術的思想によって定められるべきである。
【図１】
2014522289.tif 000003
【図２】
2014522289.tif 000004
【図３】
2014522289.tif 000005
【図４】
2014522289.tif 000006
【図５】
2014522289.tif 000007
【図６】
2014522289.tif 000008
【図７】
2014522289.tif 000009
【図８】
2014522289.tif 000010
【図９】
2014522289.tif 000011
【図１０】
2014522289.tif 000012
【図１１】
2014522289.tif 000013
【図１２】
2014522289.tif 000014
【国際調査報告】
2014522289.tif 000015
2014522289.tif 000016
2014522289.tif 000017
2014522289.tif 000018